(57)【要約】濡れた布帛の乾燥時間を短縮し、及び／または温度を下げるための方法、及び／または洗濯過程の環境への影響を改良する方法であって、該方法は、布帛柔軟組成物を適用する工程と、前記組成物に関連する一連の説明を提供する工程とを含み、該一連の説明は、有効量の布帛柔軟組成物を布帛に適用して、布帛の乾燥時間を短縮し、及び／または乾燥温度を下げ、及び／または洗濯用過程の環境への影響を改良する指示を含む。布帛が熱にさらされることに起因する布帛損傷を低減するための関連方法であり、エネルギーを節約する、及び／または洗濯過程における環境への影響を改良することを消費者に教示する。【特許請求の範囲】
【請求項１】
ぬれた布帛の乾燥時間を短縮し、及び／または洗濯過程における環境への影響を改良するための方法であって、前記方法は：
布帛柔軟組成物を提供する工程と、
該布帛柔軟組成物と関連して、一連の説明を提供する工程、
とを含み、前記一連の説明は強制空気乾燥機中の乾燥時間短縮のために布帛に前記布帛柔軟組成物を適用するための指示、及び／または前記洗濯用過程による前記環境への影響を改良するための指示、を含む方法。
【請求項２】
前記一連の説明が、布帛に有効量の布帛柔軟組成物を適用するための指示を含む、請求項１に記載の方法。
【請求項３】
前記一連の説明が、少なくとも２つの連続した洗濯用過程サイクルに亘って、好ましくは全ての洗濯用過程サイクルにおいて、布帛に前記布帛柔軟組成物を適用し、該布帛柔軟組成物の１回の適用から得られる乾燥時間をさらに短縮するための指示を含む、請求項１または２に記載の方法。
【請求項４】
前記一連の説明が、布帛柔軟組成物で処理されていない濡れた布帛の乾燥必要時間の少なくとも５％、好ましくは少なくとも６％、より好ましくは少なくとも７％、更により好ましくは少なくとも８％、洗濯された布帛の乾燥時間を短縮する指示を含む、請求項１〜３のいずれか一項に記載の方法。
【請求項５】
前記一連の説明が、水分センサ及び回路網を有する強制空気回転式乾燥機を使用して、前記布帛上で検出された水分に基づいて乾燥機の操作終了時間を決定するための指示を含む、請求項１〜４のいずれか一項に記載の方法。
【請求項６】
前記一連の説明が、文章、図、アイコンまたは多言語による指示を含む、請求項１〜５のいずれか一項に記載の方法。
【請求項７】
前記一連の説明が、販売時に布帛柔軟組成物または強制空気乾燥機に隣接して提示される、請求項１〜６のいずれか一項に記載の方法。
【請求項８】
前記一連の説明が、政府機関、非営利組織、ユーティリティ供給業者、電化製品製造業者、またはそれらの組み合わせによる推薦及び／または承認をさらに含む、請求項１〜７のいずれか一項に記載の方法。
【請求項９】
前記一連の説明が、ユーティリティサービス供給業者からの通信を介して消費者に提供される、請求項１〜８のいずれか一項に記載の方法。
【請求項１０】
布帛乾燥機中のぬれた布帛の乾燥を含む洗濯用過程に亘って消費されるエネルギーを減少する方法であって、前記方法は：
前記布帛に布帛柔軟組成物を適用する工程と、
布帛乾燥機中で前記布帛を乾燥する工程、
とを含み、前記布帛の乾燥必要時間を短縮し、及び／または乾燥必要温度を下げることによって、前記消費されるエネルギー量を減少する方法。
【請求項１１】
少なくとも２つの連続した洗濯用過程サイクルに亘って、好ましくは全ての洗濯用過程サイクルにおいて、布帛柔軟剤を前記布帛に再適用し、布帛柔軟組成物を１回適用した布帛を乾燥する場合に消費されるエネルギーを減少する工程をさらに含む、請求項１０に記載の方法。
【請求項１２】
前記布帛柔軟組成物が、液体すすぎに添加する布帛柔軟組成物及び乾燥機に添加する布帛柔軟組成物よりなる群から選択される、請求項１〜１１のいずれか一項に記載の方法。
【請求項１３】
前記布帛柔軟組成物は、ジヒドロカルビル四級アンモニウム布帛柔軟化合物、及び／またはそれらのアミン前駆体を含み、各ヒドロカルビル基は、飽和である、不飽和である、高度に不飽和である、直鎖状である、分枝状である、またはそれらの組み合わせであることを伴う、請求項１〜１２のいずれか一項に記載の方法。
【請求項１４】
前記布帛柔軟組成物が、布帛柔軟化活性物質を含むすすぎに添加される布帛柔軟組成物であり、且つ、前記布帛柔軟化活性物質は、布帛１キログラムあたり柔軟化活性物質を約０．５〜約５ｇ、好ましくは約１〜約４ｇ、さらに好ましくは約１．５〜約３ｇの濃度で使用する、請求項１〜１３のいずれか一項に記載の方法。
【請求項１５】
前記布帛柔軟組成物が、布帛柔軟化活性物質を含む乾燥機に添加される布帛柔軟組成物であり、且つ、前記布帛柔軟化活性物質は、布帛１キログラムあたり柔軟化活性物質を約０．１〜約３ｇ、好ましくは約０．２〜約２ｇ、さらに好ましくは約０．３〜約１．２ｇの濃度で使用する、請求項１〜１３のいずれか一項に記載の方法。
【請求項１６】
前記布帛柔軟化合物の各ヒドロカルビル基は、エステル、アミド、またはそれらの混合物よりなる群から選択される官能基を含む、請求項１３に記載の方法。
【請求項１７】
前記布帛柔軟組成物は、少なくとも部分的に不飽和である柔軟剤活性物質を含む、請求項１〜１６のいずれか一項に記載の方法。
【請求項１８】
前記布帛柔軟組成物が無香である、または香料を含まない、請求項１〜１７のいずれか一項に記載の方法。
【請求項１９】
前記布帛柔軟組成物は、最終組成物の約０．０１重量％〜約１０重量％、好ましくは約０．１重量％〜約５重量％、さらに好ましくは約０．２重量％〜約３重量％の永続性の香料組成物を含む、請求項１〜１７のいずれか一項に記載の方法。
【請求項２０】
前記布帛柔軟組成物は、液体すすぎに添加される布帛柔軟組成物であり、前記永続性の香料組成物は、香料組成物の少なくとも約２５重量％、好ましくは少なくとも約４０重量％、さらに好ましくは少なくとも約６０重量％、さらにより好ましくは少なくとも約７５重量％の、約２５０℃以上の沸点を有し、且つ約３以上のＣｌｏｇＰを有する香料成分を含み、ここでのＣｌｏｇＰは、オクタノール／水分配係数（Ｐ）を計算して底が１０の対数ｌｏｇＰとして表現したものである、請求項１９に記載の方法。
【請求項２１】
前記布帛柔軟組成物は、乾燥機に添加される布帛柔軟組成物であり、前記永続性の香料組成物は、香料組成物の少なくとも約２５重量％、好ましくは少なくとも約４０重量％、さらに好ましくは少なくとも約６０重量％、さらにより好ましくは少なくとも約７５重量％の、約２５０℃以上の沸点を有する香料成分を含む、請求項１９に記載の方法。
【請求項２２】
前記ぬれた布帛の乾燥必要時間を短縮するための、及び／または前記洗濯過程での環境への影響を改良するための、布帛柔軟組成物が適用された布帛の使用。
【請求項２３】
布帛乾燥機中でぬれた布帛を乾燥する過程を含む洗濯用過程に亘って消費されるエネルギーを減少するための、布帛に適用される布帛柔軟組成物の使用。
【請求項２４】
前記布帛柔軟組成物が、布帛柔軟化活性物質を含むすすぎに添加される布帛柔軟組成物であり、前記布帛柔軟化活性物質は、布帛１キログラムあたり柔軟化活性物質を約０．５〜約５ｇ、好ましくは約１〜約４ｇ、さらに好ましくは約１．５〜約３ｇの濃度で使用する、請求項２２または２３に記載の使用。
【請求項２５】
前記布帛柔軟組成物が、布帛柔軟化活性物質を含む乾燥機に添加される布帛柔軟組成物であり、前記布帛柔軟化活性物質は、布帛１キログラムあたり柔軟化活性物質を約０．１〜約３ｇ、好ましくは約０．２〜約２ｇ、さらに好ましくは約０．３〜約１．２ｇの濃度で使用する、請求項２２または２３に記載の使用。
【発明の詳細な説明】
【技術分野】
【０００１】
本発明の分野は、洗濯された布帛及び／または水ベースの溶液で処理された、または水ベースの溶液中で処理された布帛を乾燥することに関する。更に詳しくは、本発明は、このような布帛に適用される場合、電力及び／またはガスで駆動する回転式乾燥機内で布帛の乾燥必要時間を短縮する組成物、物品、及び方法に関する。従って、本発明は更に、回転式乾燥機から生じる繊維の損傷を低減する方法、及びエネルギーを節約する新規な方法に関する。
【背景技術】
【０００２】
１９８４年２月２８日、ロビンソン（Robinson）らに発行された米国特許第４，４３４，１９６号は、陽イオン性薬剤及び水性媒体中に乳化されたポリエチレンワックスの混合物を用いて基材を処理することによって、濡れた親水性基材の乾燥を促進するための方法を開示している。
【０００３】
カスプルザク（Kasprzak）らに対して発行された１９８９年３月７日の米国特許第４，８１０，２５３号及び１９８９年７月１８日の米国特許第４，８４８，９８１号は各々、アミノまたはアミド官能化シリコーンをすすぎ水中に分散させ、後続する水のスピン分離中の布地から出る水の流れを改良し、結果として残留水が少なくなる方法を開示している。
【０００４】
１９９２年１月１４日にスミス（Smith）らに発行された米国特許第５，０８０，８１０号、及び１９９３年３月２３日にクラッチャー（Crutcher）らに発行された米国特許第５，１９６，１２８号は、乾燥シート及び液態中の布帛柔軟剤を開示している。
【発明の開示】
【課題を解決するための手段】
【０００５】
本発明は、洗濯された布帛の乾燥時間を減少し、環境への影響を改良するための製造物品を提供する。前記物品は、パッケージ中に布帛柔軟組成物と該組成物を使用するための一連の説明書を包含する。その一連の説明書には、次の望ましい利点、つまり、乾燥時間の短縮、環境への影響の低減、例えばエネルギーの節約、迅速な生分解可能な布帛柔軟化活性物質、揮発性の有機化合物／香料の消失の減少、及び／または布帛損傷の低減、のうちの少なくとも１つを得るための、且つ消費者がいかなる利点が達成可能であるか及びこれらの利点を得るための最適な方法は何かを確実に知るための、説明書である。該一連の説明書が、好ましくは、少なくとも２つの連続した洗濯用過程サイクルに亘って、更に好ましくは全ての洗濯用過程サイクルにおいて、有効量の布帛柔軟組成物を使用するための、布帛の乾燥時間を短縮し且つ環境への影響、例えばエネルギーの節約などを改良するための、指示を包含する。任意に、しかし好ましくは、該布帛柔軟組成物は、すすぎに添加される布帛柔軟組成物及び乾燥機に添加される布帛柔軟組成物よりなる群から選択され、更に好ましくは、迅速に生分解可能なジヒドロカルビル四級アンモニウム布帛柔軟化合物を包含する。好ましくは、該一連の説明書は、洗濯された布帛乾燥時間を、布帛柔軟組成物を使用せずに洗濯された布帛乾燥必要時間の少なくとも５％、好ましくは少なくとも６％、より好ましくは少なくとも７％、さらにより好ましくは少なくとも８％短縮するための指示を包含する。更に、該説明書は、布帛上の水分を感知できる水分センサを有することによって該布帛の乾燥時間を自動的に短縮可能にする衣類乾燥機の使用指示を任意に包含し得る。
【０００６】
本発明は、洗濯された布帛の乾燥時間を短縮するためのキットを更に提供する。前記キットは、布帛乾燥機と、この布帛乾燥機に関連した一連の説明とを含む。前記一連の説明は、布帛の少なくとも２つの連続した洗濯用過程サイクルにおいて、好ましくは全ての洗濯用サイクルにおいて、布帛の乾燥時間を減少するために布帛柔軟組成物を使用するための指示を含む。任意に、しかし好ましくは、前記布帛乾燥機は、布帛中の水分を検知できる水分センサを有し、乾燥サイクル終了時間を自動的に決定する。好ましくは、該一連の説明は、洗濯された布帛乾燥時間を、布帛柔軟組成物を使用せずに洗濯された布帛乾燥必要時間の少なくとも５％、好ましくは少なくとも６％、更に好ましくは少なくとも７％、さらにより好ましくは少なくとも８％短縮するための指示を含む。
【０００７】
本発明は、少なくとも２つの連続した洗濯用過程サイクルにおいて、好ましくは全ての洗濯用サイクルにおいて、洗濯された布帛の乾燥時間短縮のための布帛柔軟組成物の使用を更に提供する。連続した洗濯用過程サイクルにおいて、本発明の布帛柔軟組成物を用いて布帛を複数回処理することは、最初の処理サイクルから得られる利点と比較すると更に乾燥時間を短縮することが見い出されている。
【０００８】
本発明の過程における態様では、洗濯された布帛の乾燥時間短縮のための方法を提供する。該方法は、布帛柔軟組成物を提供する工程と、該布帛柔軟組成物に関連した一連の説明を提供する工程とを包含する。該一連の説明は、好ましくは少なくとも２つの連続した洗濯用過程サイクルに亘って、更に好ましくは全ての洗濯用過程サイクルにおいて、該布帛柔軟組成物を該布帛に適用し、布帛乾燥時間の短縮のための指示を含む。好ましくは、該布帛柔軟組成物に関連する説明は、組成物のパッケージ上に表示され、組成物の販売時に隣接して提示され、及び／または組成物に関連するアドレスによって世界的なコンピュータネットワーク上で示される。任意に、しかし好ましくは、該一連の説明は、洗濯された布帛の乾燥時間を布帛柔軟組成物を使用せずに洗濯された布帛の乾燥必要時間の少なくとも５％、好ましくは少なくとも６％、より好ましくは少なくとも７％、さらにより好ましくは少なくとも８％、短縮させるための指示を含む。同様に、該一連の説明は、水分センサを有することによって該布帛の乾燥時間を自動的に短縮できる衣類乾燥機の使用のための指示を任意に包含し得る。該関連する一連の説明が、政府機関、非営利組織、ユーティリティ供給業者、電化製品製造業者、またはそれらいくつかの組み合わせによる推薦及び／または承認を含むことは、任意ではあるが好ましい。布帛の乾燥時間を短縮するこの方法は、該布帛柔軟組成物を該布帛に適用する工程と、布帛乾燥機内で該布帛を乾燥する工程とを更に包含し得る。
【０００９】
本発明の別の過程における態様では、布帛乾燥機内で該布帛の乾燥を包含する洗濯用過程に亘って消費されるエネルギーを減少するための方法を提供する。該方法は、好ましくは少なくとも２つの連続した洗濯用過程サイクルに亘って、より好ましくは全ての洗濯用過程サイクルにおいて、布帛柔軟組成物を該布帛に適用する工程と、布帛乾燥機内で該布帛を乾燥する工程とを含み、その結果、消費されるエネルギーの量は、該布帛の乾燥必要時間を短縮することによって、該布帛が乾燥される温度を下げることによって、またはそれらの組み合わせによって、減少することができる。
【００１０】
本発明の関連する過程における態様では、布帛柔軟組成物の使用を包含する洗濯過程に亘って、環境への影響を改良するための方法を提供する。該方法は、好ましくは、少なくとも２つの連続した洗濯用過程サイクルに亘って、より好ましくは全ての洗濯用過程サイクルにおいて、生分解可能な布帛柔軟剤活性物質及び／または永続性の香料成分を含む布帛柔軟組成物を該布帛に適用する工程と、布帛乾燥機内で該布帛を乾燥する工程とを含み、その結果、消費されるエネルギーの量は、該布帛の乾燥必要時間を短縮することによって減らすことができる。該布帛柔軟剤活性物質は、環境において迅速に分解され、洗濯過程に亘って消失する香料が最小化になり、またはこれらのいくつかの組み合わせが達成され得る。
【００１１】
本発明のなお別の過程における態様では、自動回転式乾燥機内での乾燥過程に亘って、熱及び／または回転動作にさらされることに起因する布帛の損傷を低減するための方法を提供する。該方法は、少なくとも２つの連続した洗濯用過程サイクルに亘って、好ましくは全ての洗濯過程サイクルにおいて、布帛柔軟組成物を布帛に適用する工程と、布帛乾燥機内で前記布帛を乾燥する工程とを含み、その結果、前記布帛の乾燥必要時間を短縮することにより、乾燥時間の短縮に起因する乾燥機内の回転量が減少することにより、布帛が乾燥される温度を下げることにより、またはそれらのいくつかの組み合わせにより、布帛損傷量が減少する。
【００１２】
尚、本発明の更に別の過程における態様では、消費者にエネルギー節約を教示するための方法が提供される。前記方法は、少なくとも２つの連続した洗濯用過程サイクルに亘って、より好ましくは全ての洗濯過程サイクルにおいて、布帛柔軟組成物を用いて洗濯された布帛の処理により、これらの布帛乾燥必要時間の短縮を可能にすることを消費者に知らせる工程を含む。
【００１３】
尚、本発明のさらなる過程における態様では、布帛柔軟組成物の使用を促進する方法を提供する。前記方法は、少なくとも２つの連続した洗濯用過程サイクルに亘って、更に好ましくは全ての洗濯過程サイクルにおいて、布帛柔軟組成物を用いて洗濯された布帛の取り扱いに当り、これらの布帛乾燥必要時間の短縮が可能になることが消費者に分かる工程を包含する。
【００１４】
本明細書で使用されるすべてのパーセント及び比率は、指示がない限り重量パーセントとして表記される。特に指定しない限り、温度は全て摂氏（℃）として表記する。引用したすべての文書は参考として本明細書に組み入れる。
【発明を実施するための最良の形態】
【００１５】
Ｉ．本発明の物品
本発明の物品は、布帛柔軟組成物及び該布帛柔軟組成物に関連した一連の指示を含む。
【００１６】
Ａ．（布帛柔軟組成物）
本発明の物品、キット、及び方法において有用な布帛柔軟組成物は、液体、ゲル、ペースト、顆粒及び固体を含む種々の形態における布帛柔軟組成物を含み、このような形態は、前記布帛に直接適用されるか、或いは洗浄またはすすぎサイクル溶液に添加される。同様に、布帛柔軟組成物を、布帛の入った乾燥機に加えるための基材に適用し使用することで、効果を得ることができる。
【００１７】
乾燥時間を短縮するために、前記布帛を有効量の布帛柔軟化活性物質を用いて処理する。すすぎに添加された組成物に関して、必要とされる有効濃度の柔軟化活性物質は、典型的には、乾燥布帛１キログラムあたり約０．５〜約５グラムの柔軟化活性物質、好ましくは約１〜約４グラム、より好ましくは約１．５〜約３グラムの柔軟化活性物質である。乾燥機に添加される組成物に関して、必要とされる有効濃度の柔軟化活性物質は、一般的には、布帛１キログラムあたり約０．１〜約３グラムの柔軟化活性物質、好ましくは布帛１キログラムあたり約０．２〜約２グラム、より好ましくは約０．３〜約１．２グラムの柔軟化活性物質である。上述の有効濃度より少量の柔軟化活性物質の使用は、乾燥時間短縮による効果を低減し、有効濃度よりも多い量の使用は、柔軟化活性物質の無駄となり、結果として、環境に負の影響を与え、及び／または乾燥時間短縮の効果を低減する。
【００１８】
液体すすぎに添加する組成物は、一般的には組成物の約１重量％〜約７５重量％、好ましくは約２重量％〜約６５重量％、より好ましくは約３重量％〜約４５重量％、更により好ましくは約４重量％〜約３５重量％の布帛柔軟化活性物質を含有する。乾燥機に添加される組成物に関して、その濃度は、約１重量％〜約９９重量％の、好ましくは約１０重量％〜約８０重量％の、より好ましくは約２０重量％〜約７０重量％の、更により好ましくは約２５重量％〜約６０重量％の布帛柔軟化活性物質である。前記布帛柔軟組成物内の布帛柔軟化活性物質の濃度に依存して、前記組成物と関連した一連の説明は、所望の効果を達成するための有効濃度の布帛柔軟化活性物質を布帛に与えるために、有効量の布帛柔軟組成物の適用を消費者に指図するための指示を含む。
【００１９】
本発明のすすぎに添加する布帛柔軟組成物は、主に布帛柔軟化活性物質を含むが、洗浄剤に添加する布帛柔軟組成物は、主に布帛柔軟化活性物質を含むか、或いは柔軟化活性物質及び相溶性の洗濯界面活性剤の両方を含み、これはいわゆるツーインワン（two-in-one）洗剤及び柔軟剤組成物である。
【００２０】
本明細書中の布帛柔軟化活性物質を含有する、すすぎに添加する布帛柔軟組成物は、分散性または透明であり得る液体組成物を含むことができる。
【００２１】
（分散性組成物）
安定な「分散性」組成物は、１９８７年４月２８日、トリン（T.Trinh）らに発行された米国特許第４，６６１，２６９号、及び１９９６年８月１３日、ワール（Wahl）らに発行された米国特許第５，５４５，３４０号に開示される組成物と同様に調製可能であり、これらの特許は参考として本明細書に組み入れる。前記柔軟化活性物質に加えて好適な任意成分を以下に開示する。前記分散性液体組成物は、本明細書中、希釈及び濃縮のいずれであってもよいが、濃縮が好ましい。
【００２２】
（透明組成物）
安定な透明組成物は、有効量の２，２，４−トリメチル−１，３−ペンタンジオール、２，２，４−トリメチル−１，３−ペンタンジオールのエトキシレート、ジエトキシレート、またはトリエトキシレート誘導体、または２−エチル−１，３−ヘキサンジオールを含む組成物を包含している、１９９８年９月２５日にトリン（Trinh）らによって出願された同時係属中の米国特許出願番号第０８／９８３，５４２号、及び１９９９年５月１０日にフランケンバッハ（Frankenbach）らによって出願された同時係属中の米国特許出願番号第０９／３０９，１２８号、１９９５年３月２１日にスワートレー（Swartley）らに発行された米国特許第５，３９９，２７２号、に開示される組成物と同様に調整することが可能である該特許及び特許出願は、参考として本明細書に組み込む。
【００２３】
（布帛柔軟化活性剤）
飽和の、部分的に飽和の、不飽和の、及び／または高度に不飽和の、直鎖のアルキル鎖及び／または分枝状アルキル基を持つ、四級及び非四級柔軟化活性物質を含む任意の布帛柔軟化活性物質が、本発明の布帛柔軟組成物において使用可能である。布帛柔軟化活性物質は、陽イオン性、非イオン性、及び／または両性化合物から選択することができる。陽イオン性柔軟化合物の典型は、ジヒドロカルビル四級アンモニウム化合物またはそのアミン前駆体である。
【００２４】
好適な布帛柔軟化活性物質は、飽和、不飽和、高度に不飽和、直鎖状、分枝状、またはそれらの組み合わせであってもよい長鎖炭化水素であるヒドロカルビル基を含む。しかし、前記の炭化水素鎖は、約２０以上のヨウ素価を有する不飽和であることが好ましい。
【００２５】
液体及び固体の布帛柔軟組成物に関して、柔軟化活性物質は迅速に生分解可能であることが好ましい。本明細書で使用する「迅速に生分解可能」とは、環境において炭化水素鎖のより迅速な生分解を促進するように、加水分解可能な１つのエステル、アミドまたはいくつかの他の官能基によって少なくとも中断されている長鎖炭化水素を有する柔軟化活性物質を指す。
【００２６】
本明細書中で使用可能な布帛柔軟化活性物質は、１９６８年１０月２９日にマンハイマー（Mannheimer）に発行された米国特許第３，４０８，３６１号；１９８７年１１月２４日にクボ（Kubo）らに発行された米国特許第４，７０９，０４５号；１９８０年１１月１１日にプラクト（Pracht）らに発行された米国特許第４，２３３，４５１号；１９７９年１１月２８日にプラクト（Pracht）らに発行された米国特許第４，１２７，４８９号；１９７２年９月５日にバーグ（Berg）らに発行された米国特許第３，６８９，４２４号；１９７８年１２月５日にバウマン（Baumann）らに発行された米国特許第４，１２８，４８５号；１９７９年７月１７日にエルスター（Elster）らに発行された米国特許第４，１６１，６０４号；１９８０年２月１９日にウェヒスラー（Wechsler）らに発行された米国特許第４，１８９，５９３号；１９８２年７月１３日にホフマン（Hoffman）らに発行された米国特許第４，３３９，３９１号；エドワード（Edwards）及びディール（Diehl）に対する米国特許第３，８６１，８７０号；カンバー（Cambre）に対する米国特許第４，３０８，１５１号；バーナーディノ（Bernardino）に対する米国特許第３，８８６，０７５号；デイビス（Davis）に対する米国特許第４，２３３，１６４号；バーブルゲン（Verbruggen）に対する米国特許第４，４０１，５７８号；ウィアセマ（Wiersema）及びリーク（Rieke）に対する米国特許第３，９７４，０７６号；ラドキン（Rudkin）、クリント（Clint）、及びヤング（Young）に対する米国特許第４，２３７，０１６号；１９８９年１２月５日にヤマムラ（Yamamura）らに発行された米国特許第４，８８５，１０２号；１９９０年６月２６日にヤマムラ（Yamamura）らに発行された米国特許第４，９３７，００８号；並びに１９９２年７月２８日にコントール（Contor）らに発行された米国特許第５，１３３，８８５号；トリン（Trinh）らに対するケース４７６８Ｃ；並びにラッツェン（Rutzen）らに対するＥＰ−Ａ−９１／３３６２６７及びコントール（Contor）らに対するＥＰ−Ａ−９１／４２３８９４、及び１９９１年２月７日にトリウス（Trius）らに発行されたＰＣＴ国際公開特許ＷＯ９１／０１２９５において、少なくとも基本構造に関して一般的に開示され、これらの特許及び特許出願の全ては、本明細書に参考として組み入れる。
【００２７】
液体すすぎに添加する組成物に関する他の好ましい布帛柔軟化活性物質は、１９８７年４月２８日にＴ．トリン（T.Trinh）、Ｅ．Ｈ．ワール（E.H.Wahl）、Ｄ．Ｍ．スワートレー（D.M.Swartley）及びＲ．Ｌ．ヘミングウェイ（R.L.Hemingway）に発行された米国特許第４，６６１，２６９号に開示されている。生分解可能なエステル及び／またはアミドに結合した布帛柔軟化活性物質は、例えば、１９９６年８月１３日にワール（Wahl）らに発行された米国特許第５，５４５，３４０号に開示されている。濃縮された透明組成物中の生分解可能な不飽和エステル及び／アミドに結合した布帛柔軟化活性物質は、１９９８年６月２日にワール（Wahl）、トーディル（Tordil）、トリン（Trinh）、カール（Carr）、キース（Keys）、及びマイヤー（Meyer）の名前で発行された米国特許第５，７５９，９９０号、及び１９９８年５月５日にワール（Wahl）、トリン（Trinh）、ゴッセリンク（Gosselink）、レットン（Letton）、及びシビク（Sivik）の名前で発行された米国特許第５，７４７，４４３号に開示されている。これら全ての特許を参考として引用し、本明細書に組み入れる。本発明において使用可能な好適なアミン柔軟化活性物質の例は、１９９９年２月１１日にＫ．Ａ．グリム（K.A.Grimm）、Ｄ．Ｒ．ベーコン（D.R.Bacon）、Ｔ．トリン（T.Trinh）、Ｅ．Ｈ．ワール（E.H.Wahl）、及びＨ．Ｂ．トーディル（H.B.Tordil）に対するＰＣＴ国際公開特許出願ＷＯ９９／０６５０９に開示されており、これを参考として本発明に組み入れる。
【００２８】
本発明において好ましい布帛柔軟組成物は、不飽和及び／または分枝状炭化水素鎖を有し、好ましくは生分解可能な布帛柔軟化活性物質を使用する。これらの不飽和及び／または分枝状布帛柔軟化活性物質は、濃縮された液体布帛柔軟組成物を調製可能にする。飽和及び／または低度に不飽和の、例えば、約１０未満のヨウ素価を有する布帛柔軟化活性物質、及びトランス構造の不飽和鎖を有する布帛柔軟化活性物質は、通常は単位重量あたり良好な柔軟性能を示すが、濃縮することは更に困難であり、従って低濃度、典型的には前記組成物の約３０重量％未満、好ましくは２５重量％未満、更に好ましくは２０重量％未満の布帛柔軟化活性物質を有する組成物において使用可能である。
【００２９】
本発明の好ましい布帛柔軟化活性物質は、各ヒドロカルビル基が、エステル、アミド、またはそれらの混合物よりなる群から選択される官能基を有する、特別なジヒドロカルビル四級アンモニウム化合物を含む。これらの化合物は、一般的にジエステル四級アンモニウム布帛柔軟化活性物質（ＤＥＱＡ）と呼ばれ、次の一般式を有する：
第一の種類のＤＥＱＡ活性物質は、次の一般式を有し：
｛Ｒ４〜ｍ−Ｎ＋−［（ＣＨ２）ｎ−Ｙ−Ｒ１］ｍ｝Ｘ−          ＤＥＱＡ（１）
式中、各Ｒ置換基は、水素、短鎖Ｃ１〜Ｃ６、好ましくはＣ１〜Ｃ３アルキル基、またはヒドロキシアルキル基のいずれか、例えば、メチル（最も好ましい）、エチル、プロピル、及びヒドロキシエチルなど、及びポリ（Ｃ２〜３アルコキシ）、好ましくはポリエトキシ基、ベンジル、またはこれらの混合物であり；各ｍは２または３であり；各ｎは、１〜約４、好ましくは２であり；各Ｙは、−Ｏ−（Ｏ）Ｃ−、−Ｃ（Ｏ）−Ｏ−、−ＮＲ−Ｃ（Ｏ）−、または−Ｃ（Ｏ）−ＮＲ−であり；Ｙが−Ｏ−（Ｏ）Ｃ−、または−ＮＲ−Ｃ（Ｏ）−である場合には、各Ｒ１中の炭素の合計に１を加えたものは、Ｃ１２〜Ｃ２２、好ましくはＣ１４〜Ｃ２０であり、各Ｒ１は、ヒドロカルビル（アルキル、モノ不飽和アルケニル及び／またはポリ不飽和アルケニル基とすることができる）、または置換ヒドロカルビル基であり、及びＸ−は、柔軟剤と適合性のあるいずれかの陰イオン、好ましくは、塩化物イオン、臭化物イオン、硫酸メチルイオン、硫酸エチルイオン、硫酸イオン、及び硝酸イオンとすることができ、より好ましくは塩化物イオン、または硫酸メチルイオンとすることができる。
【００３０】
本明細書で用いられるＤＥＱＡジエステル（ｍ＝２）が指定された場合、存在するモノエステル（ｍ＝１）及び／またはトリエステル（ｍ＝３）を包含し得る。好ましくは少なくとも約３０％のＤＥＱＡがジエステルの形態であり、０％〜約３０％がＤＥＱＡモノエステルであることが可能であり、例えば３つのＲ基と１つのＲ１基が存在する。布帛柔軟化性能のためには、洗剤のすすぎ残しが無い／低い洗濯条件下で、モノエステルの百分率ができるだけ低く、約１５％以下であるべきなのが好ましい。しかしながら、陰イオン性洗剤界面活性剤または洗剤ビルダーのすすぎ残しが多い条件下では、ある種のモノエステルが好ましくなり得る。
【００３１】
第二の種類のジエステル四級アンモニウム活性物質は、次の一般式を有し：
［Ｒ３Ｎ＋ＣＨ２ＣＨ（ＹＲ１）（ＣＨ２ＹＲ１）］Ｘ−          ＤＥＱＡ（２）
式中、Ｙ、Ｒ、Ｒ１及びＸ−の各々は、上記と同じ意味である。このような化合物には、次の式を有するものが包含される：
［ＣＨ３］３Ｎ（＋）［ＣＨ２ＣＨ（ＣＨ２Ｏ（Ｏ）ＣＲ１）Ｏ（Ｏ）ＣＲ１］Ｃｌ（−）
式中、各Ｒはメチルまたはエチル基であって、好ましくはＲ１の各々はＣ１５〜Ｃ１９の範囲である。好ましいＤＥＱＡ（２）の例は、１，２−ジ（アシルオキシ）−３−トリメチルアンモニオプロパンクロライドの前記式を有する「プロピル」エステル四級アンモニウム布帛柔軟剤活性物質である。
【００３２】
これらの生分解性四級アンモニウム布帛柔軟化活性物質は、好ましくは、ステアリン酸のような飽和脂肪酸から主に誘導されるが、更に好ましくは、例えばタロー脂肪酸のような動物性脂肪から誘導される天然供給源からの、部分的に飽和な脂肪酸及び／または部分的に水素化された脂肪酸から誘導される、基Ｃ（Ｏ）Ｒ１を含有する。不飽和脂肪酸、例えば、オレイン酸、及びポリ不飽和脂肪酸、例えば、キャノーラ油、ベニバナ油、ピーナッツ油、ヒマワリ油、コーン油、大豆油、トール油、米ヌカ油などのような植物油から誘導される脂肪酸もまた好ましい。脂肪酸（ＦＡ）の非限定的な例は、米国特許第５，７５９，９９０号の第４欄４５〜６６行に記載されている。不飽和脂肪酸及びポリ不飽和脂肪酸を含有する布帛柔軟化活性物質は、本発明の濃縮された、透明な布帛柔軟組成物を処方するのに好ましい。ヨウ素価（本明細書中「ＩＶ」と称する）は、脂肪酸の不飽和度を定義するために使用される。Ｒ１基が誘導される「もとの」脂肪酸、または「対応する」脂肪酸のヨウ素価は、本明細書において布帛柔軟化活性物質の不飽和度を定義するためにも使用される。これらのＲ１基のもとの脂肪酸のＩＶは、平均で約０〜約１４０、より好ましくは約４０〜約１３０である。濃縮物、透明組成物に関して、ＩＶは、平均で、好ましくは約７０〜約１４０、より好ましくは約８０〜約１３０、さらにより好ましくは約９０〜約１１５である。
【００３３】
脂肪酸の混合物は使用可能であり且つ好ましい。エステル結合した疎水性基［Ｒ１Ｃ（ＣＯ）Ｏ−］を２個有する有効量の分子を含む好ましいＤＥＱＡ柔軟化活性物質は、好例の（全脂肪酸ブレンド）すべての異なった脂肪酸のブレンドから単一のＤＥＱＡとして調製されるのであり、この全脂肪酸ブレンドの異なった部分から調製される個別の最終ＤＥＱＡ混合物のブレンドから調製されるのではない。
【００３４】
本発明の濃縮された、液体布帛柔軟組成物の処方のために好適な別のＤＥＱＡ柔軟化活性物質は、１つのＲ基がＣ１〜４ヒドロキシアルキル基、またはポリアルコキシ基、好ましくはヒドロキシアルキル、更に好ましくはヒドロキシエチル基である、上述の式ＤＥＱＡ（１）を有する。このようなヒドロキシエチルエステル活性物質の例は、ジ（アシルオキシエチル）（２−ヒドロキシエチル）メチルアンモニウムメチルサルフェートであり、ここで、アシルは、上述の脂肪酸、例えばオレイン酸から誘導される。このようなＤＥＱＡは、ａ）飽和または不飽和、直鎖または分枝状の脂肪酸、または該酸、該脂肪酸の誘導体、または原子数が５〜２１の炭化水素鎖をそれぞれが有する誘導体の画分と、ｂ）トリエタノールアミン、との間の四級化された縮合反応生成物であり、該縮合生成物は、フェノールフタレイン指示薬に対する標準ＫＯＨ溶液を用いた縮合生成物の滴定による測定において、約６．５未満の酸価を有することを特徴とする。酸価は、好ましくは約５と等しいかまたはそれ未満、より好ましくは約３未満である。実際、ＡＶが低くなるほど、得られる柔軟性性能は良くなる。
【００３５】
酸価は、ＩＳＯ番号５３４０２に従って、フェノールフタレイン指示薬に対する標準ＫＯＨ溶液による縮合生成物の滴定によって決定される。前記ＡＶは、ＫＯＨｍｇ／縮合生成物ｇで表される。
【００３６】
最適な柔軟効果のためには、反応体はトリエタノールアミンに対する脂肪酸画分が約１：１〜約２．５：１のモル比で存在するのが好ましい。
【００３７】
本明細書でのＤＥＱＡは低濃度の脂肪酸も含有することができ、これはＤＥＱＡを形成するために使用される未反応の開始物質から由来するか、及び／または最終組成物中の柔軟剤活性物質のいずれかの部分的分解（加水分解）の副生成物として、存在し得る。遊離脂肪酸の濃度は低いことが好ましく、好ましくは柔軟剤活性物質の約１５重量％未満、より好ましくは約１０重量％未満、更により好ましくは約５重量％未満である。
【００３８】
前述のＤＥＱＡ活性物質はまた、中和されたアミン柔軟化活性物質も包含し、ここでは少なくとも１つのＲ基は水素原子である。この種類の活性物質の非限定的な例は、（不飽和アルコイルオキシエチル）（不飽和アルキルアミドトリメチレン）メチルアミンの塩化物塩である。他の好適なアミン柔軟化活性物質の例は、１９９９年２月１１日に公開されたＫ．Ａ．グリム（K.A.Grimm）、Ｄ．Ｒ．ベーコン（D.R.Bacon）、Ｔ．トリン（T.Trinh）、Ｅ．Ｈ．ワール（E.H.Wahl）、及びＨ．Ｂ．トーディル（H.B.Tordil）に対するＰＣＴ国際公開特許ＷＯ９９／０６５０９に開示されており、これを参考として本明細書に組み入れる。
【００３９】
一価より多くの正の四級アンモニウム電荷を伴う布帛柔軟化活性物質は、すすぎに添加する本発明の組成物にも有用である。この種類の柔軟化活性物質の一例は、次式を有する：
【化１】
2005502402.tif 000002
式中、各Ｒは、Ｈまたは短鎖Ｃ１〜Ｃ６、好ましくはＣ１〜Ｃ３アルキル、またはヒドロキシアルキル基、例えば、メチル（最も好ましい）、エチル、プロピル、及びヒドロキシエチルなど、ベンジル、または（Ｒ２Ｏ）２〜４Ｈであり；各Ｒ１は、Ｃ６〜Ｃ２２、好ましくはＣ１４〜Ｃ２０ヒドロカルビル、または置換されたヒドロカルビル置換基、好ましくはＣ１０〜Ｃ２０アルキルまたはアルケニル（ポリ不飽和アルキルを含む不飽和アルキル、「アルキレン」と称されることもある）、最も好ましくはＣ１２〜Ｃ１８アルキルまたはアルケニルであり；各Ｒ２は、Ｃ１〜６アルキレン基、好ましくはエチレン基であり；Ａ−は、下記のように定義される。次式を有する布帛柔軟化活性物質：
【化２】
2005502402.tif 000003
であり、式中、Ｒ１はオレイン酸から誘導され、ウィトコ社（Witco Company）から入手できる。
【００４０】
以下のポリ四級アンモニウ化合物は、本発明において使用するのに好適なものとして、本明細書において引用文献として開示する：１９９７年４月２５日にロバート．Ｏ．キース（Robert O.Keys）及びフロイド．Ｅ．フリードリ（Floyd E.Friedli）により出願されたＥＰ−Ａ−０８０３４９８Ａ１号；１９５６年１月２８日にアーノルドホフマン社（Arnold Hoffman & Co.，Incorporated）に対して発行された英国特許第８０８，２６５号；１９６９年８月１３日にケーブナー（Koebner）及びポッツ（Potts）に対して発行された英国特許第１，１６１，５５２号；１９９３年８月１２日に公開されたヘンケル（Henkel）のＤＥ４,２０３,４８９Ａ１；１９８６年１１月３日にトフル（Topfl）、ハインツ（Heinz）、及びヨーグ（Jorg）に対して発行されたＥＰ−０２２１８５５号；１９９１年１２月２０日にレウォ（Rewo）に対して発行されたＥＰ−０５０３１５５号；１９９１年１２月２０日にレウォ（Rewo）に対して発行されたＥＰ−０５０７００３；１９９７年１２月２９日に公開されたＥＰ−Ａ−０８０３４９８号；１９８３年３月２２日にマリーヘレンフライキン（Marie-Helene Fraikin）、アランディラーストーン（Alan Dillarstone）、及びマーククーテロー（Marc Couterau）によって出願された仏国特許第２，５２３，６０６号；１９８６年のカワイテルミ（Terumi Kawai）及びキタムラヒロシ（Hiroshi Kitamura）に対する日本国特許ＪＰ８４−２７３９１８；１９９０年１月１６日に花王社に対して発行されたＪＰ２−０１１，５４５；１９６３年２月２６日にホワ（Hwa）に対して発行された米国特許第３，０７９，４３６号；１９８３年１１月２９日にグリーン（Green）らに対して発行された米国特許第４，４１８，０５４号；１９８８年１月２６日にトフル（Topfl）、アベル（Abel）、及びビンツ（Binz）に対して発行された米国特許第４，７２１，５１２号；１９８８年３月１日にアベル（Abel）、トフル（Topfl）、及びリーヘン（Riehen）に対して発行された米国特許第４，７２８，３３７号；１９９０年３月６日にトフル（Topfl）及びビンツ（Binz）に対して発行された米国特許第４，９０６，４１３号；１９９３年３月１６日にオキセンライダー（Oxenrider）らに対して発行された米国特許第５，１９４，６６７号；１９９３年８月１０日にヒル（Hill）及びスノー（Snow）に対して発行された米国特許第５，２３５，０８２号；１９９７年９月２３日にキース（Keys）に対して発行された米国特許第５，６７０，４７２号；ウェイロンミァオ（Weirong Miao）、ウェイホウ（Wei Hou）、リーチェン（Lie Chen）、及びゾンシリー（Zongshi Li）による「多官能仕上げ剤に関する研究（Studies on Multifunctional Finishing Agents）」、リヨンフアクセゴンエ（Riyong Huaxue Gonye）、Ｎｏ．２、ｐｐ．８〜１０、１９９２年；ヨカガク（Yokagaku）、第４１巻、Ｎｏ．４、（１９９２年）；並びに「殺菌、滅菌及び保存（Disinfection，Sterilization，and Preservation）」、第４版、１９９１年にリー＆フェビガー（Lea & Febiger）により発行、第１３章、ｐｐ．２２６〜３０。本明細書で引用したこれらの文献は、全て参考として本明細書に組み入れる。脂肪酸とＮ，Ｎ，Ｎ’，Ｎ’テトラキス（ヒドロキシエチル）−１，６−ジアミノヘキサンの反応生成物の四級化によって形成される生成物も、本発明に好適なもとの��て開示する。この反応によって製造されるいくつかの非限定的な構造例は、２００１年５月１７日に公開されたサッカブ（Sakkab）らのＰＣＴ国際公開特許ＷＯ０１／３４７４３号に示されており、本明細書において参考として組み入れる。
【００４１】
前記組成物はまた、１９８７年４月２８日にトリン（Trinh）らに対して発行された米国特許第４，６６１，２６９号に示されているような他の布帛柔軟剤活性物質を含むこともでき、この特許を本明細書において参考として組み入れる。
【００４２】
本明細書の陽イオン性窒素系塩において、陰イオンＡ−は柔軟剤に相溶性のあるいずれかの陰イオンであり、電気的に中性である。多くの場合には、これらの塩において電気的中性を提供するために用いられる陰イオンは、強い酸からのものであり、特に、ハロゲン化物、例えば塩化物、臭化物、またはヨウ化物からのものである。しかしながら、他の陰イオン、例えば硫酸メチルイオン、硫酸エチルイオン、酢酸イオン、ギ酸イオン、硫酸イオン、炭酸イオンなども用いることができる。陰イオンＡとして、塩化物イオン及びメチルサルフェートイオンが本明細書では好ましい。陰イオンはまた、それほど好ましくはないが２電荷を帯びることも可能であり、その場合にはＡ−は基の半分を表している。
【００４３】
上記で開示された柔軟剤構成のあらゆる混合物及び組み合わせが、本発明での使用に好適であることは理解されるであろう。
【００４４】
本発明の布帛柔軟組成物は、パラフィン性ワックス、乳化されたパラフィン性ワックス、または高濃度のＮ−オクタデシル−Ｎ，Ｎ−ジメチルアミンオキシドを含まないことが好ましく、すなわちここでは、Ｎ−オクタデシル−Ｎ，Ｎ−ジメチルアミンオキシド−対−四級アンモニウム柔軟化活性物質の重量比は、約２０：８０またはそれより大きい。本発明は、四級アンモニウム柔軟化活性物質及び／またはそれらのアミン前駆体を有さないアミノ官能性シリコーンを含む組成物に関するものではない。
【００４５】
（乾燥機に添加する組成物）
本発明の乾燥機に添加する布帛柔軟組成物において有用な布帛柔軟化活性物質、または活性物質は、陽イオン性、非イオン性、両性及び／または陰イオン性布帛柔軟化活性物質より選択することができる。最も一般的な実施において、布帛コンディショニング組成物は、約１０：１〜約０．５：１、好ましくは約５：１〜約１：１の範囲の乾燥基材に対するコンディショニング組成物の重量比を用意するために、基材上に脱着可能に固定される。
【００４６】
典型的な陽イオン性布帛柔軟化活性物質には、非水溶性四級アンモニウム布帛柔軟化活性物質が挙げられ、最も一般的に使用されるものは、ジ（長鎖アルキル）ジメチルアンモニウム（Ｃ１〜Ｃ４アルキル）サルフェートまたはクロリドであり、好ましくはメチルサルフェートである。迅速に生分解可能で且つ環境にやさしいＤＥＱＡ活性物質を包含する、この種類及び他の種類の四級アンモニウム布帛柔軟化活性物質の好適な活性物質の非限定的な例は、２０００年８月２２日にスミス（Smith）らに対して発行された米国特許第６，１０７，２７０号、及び２００１年８月２１日にシビク（Sivik）らに対して発行された米国特許第６，２７７，７９６号に示され、これらの特許を本明細書において参考として組み入れる。これらの特許はまた、非イオン性柔軟化活性物質、三級アミン及び／またはエステルアミンのカルボン酸塩、高分子量脂肪酸などのような、本発明において使用可能な他の布帛柔軟化活性物質を記載している。これらの特許は更に、汚れ放出剤、シクロデキストリン／香料複合体、塩素捕捉剤、染料移行防止剤、酸化防止剤／安定剤などのような他の任意成分の非限定的な例、及び柔軟活性物質及び任意成分の好ましい濃度を記載している。
【００４７】
（香料）
本発明の物品及びキットにおいて有用な布帛柔軟組成物は、布帛に対して良好な香気を与える香料を有することができる。いかなる種類の香料も本発明の組成物に組み入れることができる。好ましい香料成分は布帛及び衣服への適用に好適なものである。こうした好ましい成分の典型的な例は、１９９５年４月２９日にクビエトク（Kvietok）らに対して発行された、米国特許第５，４４５，７４７号に示されており、参考として本明細書に組み入れる。香料は、最終組成物の０重量％〜約１０重量％、好ましくは約０．１重量％〜約５重量％、より好ましくは約０．２重量％〜約３重量％の濃度で存在し得る。
【００４８】
すすぎに添加する布帛柔軟組成物内の相当量の香料が、洗濯過程に亘って、すすぎ水と共に、且つそれに続く乾燥中（物干し綱による乾燥または機械乾燥のいずれか）に失われる。同様に、乾燥機に添加する布帛柔軟組成物内の相当量の香料は、自動回転式乾燥機の熱風で失われる。これによって、洗濯された布帛には付着せず使用できない香料が無駄になり、且つ、揮発性有機化合物の空中への放出によって一般的な大気汚染を生じることに帰する。従って、布帛上に残留する香料臭気効果を効率的に提供できる香料成分を選択することが好ましい。このような香料成分は「永続性」香料成分と呼ばれる。本発明の柔軟化組成物は、少なくとも香料の約２５重量％、好ましくは少なくとも約４０重量％、より好ましくは少なくとも約６０重量％、さらにより好ましくは少なくとも約７５重量％の永続性の香料成分を含むことによって特徴付けられる、永続性香料組成物を含有することが好ましい。
【００４９】
本発明のすすぎに添加する布帛柔軟組成物内で使用される永続性香料成分は、本発明の乾燥機に添加する布帛柔軟組成物内で使用される永続性香料成分とは異なる性質を有する。
【００５０】
すすぎに添加する組成物に関しては、永続性香料成分は、該組成物の沸点（Ｂ．Ｐ．）及びオクタノール／水分配係数（Ｐ）によって特徴付けられる。香料成分のオクタノール／水分配係数は、オクタノール内及び水中内におけるその平衡濃度間の比である。本発明のすすぎに添加する組成物のための永続性香料成分は、通常の標準圧力で測定され、約２４０℃以上、好ましくは約２５０℃以上のＢ．Ｐ．を有し、約１，０００以上のオクタノール／水分配係数Ｐを有する。本発明の香料成分の分配係数は高い値を有するので、それらの１０を底とする対数、ｌｏｇＰの形で示すことがより便利である。従って、本発明のすすぎに添加する組成物のための永続性香料成分は、約３以上のｌｏｇＰを有する。
【００５１】
多くの香料成分のｌｏｇＰが報告されている；例えば、カリフォルニア州アーヴィン（Irvine）のデイライト・ケミカル・インフォメーション・システムズ社（Daylight Chemical Information Systems，Inc.）（デイライトＣＩＳ（Daylight CIS））より入手可能なポモナ９２データベース（Pomona92 database）は、本書の文献の引用と共に多くの文献を有している。しかし、ｌｏｇＰ値は、最も簡単にはデイライトＣＩＳから入手できる「ＣＬＯＧＰ」プログラムにより計算される。このプログラムは、ポモナ９２データベースにあるデータのｌｏｇＰの実験値も一覧にしている。「ｌｏｇＰの計算値」（ＣｌｏｇＰ値）は、ハンシュ（Hansch）及びレオ（Leo）のフラグメント手法により求められる（参考として本明細書に組み込まれる、Ａ．レオ、「総括医薬品化学（Comprehensive Medicinal Chemistry）」、第４巻、Ｃ．ハンシュ（C.Hansch）、Ｐ．Ｇ．サメンス（P.G.Sammens）、Ｊ．Ｂ．テイラー（J.B.Taylor）、及びＣ．Ａ．ラムスデン（C.A.Ramsden）編、２９５頁、パーガモン出版（Pergamon Press）、１９９０年を参照）。このフラグメント法では、各香料成分の化学構造を基にし、原子の数と種類、原子の結合性、及び化学結合が考慮に入れられている。ＣｌｏｇＰ値は、最も信頼でき、物理化学的特性の評価に広く用いられており、好ましくは本発明で有用な香料成分の選択においてｌｏｇＰの実験値の代わりに用いられる。従って、本発明のすすぎに添加する組成物のための永続性香料成分は、約３以上のＣｌｏｇＰを有する。
【００５２】
多くの香料成分の沸点は、例えば、「香料と風味の化学（Perfume and Flavor Chemicals）（アロマ・ケミカルズ（Aroma Chemicals））」、（ステファン・アークタンダー（Steffen Arctander）、著者により出版、１９６９年）に見られ、本明細書に参考として組み入れる。その他の沸点の値は、ベイルスタイン・ハンドブック（Beilstein Handbook）、ランゲの化学ハンドブック（Lange’s Handbook of Chemistry）、並びに、化学及び物理学のＣＲＣハンドブック（CRC Handbook of Chemistry and Physics）のような様々な化学ハンドブック及びデータベースから入手することができる。異なる圧力、すなわち、通常は７６０ｍｍＨｇの標準気圧より低い圧力における沸点だけが提示されている場合、標準圧における沸点は、例えば「化学者の手引き（The Chemist's Companion）」（Ａ．Ｊ．ゴードン（A.J.Gordon）及びＲ．Ａ．フォード（R.A.Ford）、ジョンウィリー＆サンズパブリッシャー（John Wiley & Sons Publishers）、１９７２年、３０〜３６頁）に記載されているような沸点−圧力計算図表を使用して概算することができる。沸点値は、「小さな多官能有機分子の通常沸点を概算するための定量的構造−性質の関係モデルの開発」（デビッド.Ｔ．スタントン（David T.Stanton）、ジャーナル・オブ・ケミカル・インフォーメーション・アンド・コンピュータ・サイエンス（Journal of Chemical Information and Computer Sciences）２０００年、第４０巻１号、８１〜９０ページ）に記載されているようなコンピュータプログラムを介して概算することもでき、この文献は参考として本明細書に組み込む。
【００５３】
本発明のすすぎに添加される布帛柔軟組成物において使用するための好ましい永続性の香料成分の非限定的な例としては、以下が挙げられる：アリルシクロヘキサンプロピオネート、アンブレットリド、アミルベンゾエート、アミルシンナメート、アミルシンナミックアルデヒド、アミルシンナミックアルデヒドジメチルアセタール、イソ−アミルサリチラート、オーランチオール（aurantiol）（ヒドロキシシトロネラール−メチルアンスラニレートの商標名）、ベンゾフェノン、ベンジルサリチラート、パラ−第三級−ブチルシクロヘキシルアセテート、イソ−ブチルキノリン、ベータ−カリオフィレン（Caryophyllene）、カジネン、セドロール、セドリルアセテート、セドリルホルメート、シンナミルシンナメート、シクロヘキシルサリチラート、シクラメンアルデヒド、ジヒドロイソジャスモネート、ジフェニルメタン、ジフェニルオキシド、ドデカラクトン、イソＥスーパー（iso E Super）（１−（１，２，３，４，５，６，７，８−オクタヒドロ−２，３，８，８−テトラメチル−２−ナフタレニル）−エタノンの商標名）、エチレンブラシレート、エチルメチルフェニルグリシデート、エチルウンデシレネート、エギサルトリド（１５−ヒドロキシペンタデカン酸ラクトンの商標名）、ガラクソリド（galaxolide）（１，３，４，６，７，８−ヘキサヒドロ−４，６，６，７，８，８−ヘキサメチルシクロペンタ−ガンマ−２−ベンゾピランの商標名）、ゲラニルアントラニレート、ゲラニルフェニルアセテート、ヘキサデカノリド、ヘキセニルサリチラート、ヘキシルシンナミックアルデヒド、ヘキシルサリチラート、アルファ−イロン、リリアル（パラ−第三級−ブチル−アルファ−メチルヒドロシンナミックアルデヒドの商標名）、リナリルベンゾエート、２−メトキシナフタレン、メチルジヒドロジャスモン、ガンマ−ｎ−メチルイオノン、ムスクインダノン、ムスクケトン、ムスクチベチン（tibetine）、オキサヘキサデカノリド−１０、オキサヘキサデカノリド−１１、パチョリアルコール、ファントリド（phantolide）（５−アセチル−１，１，２，３，３，６−ヘキサメチルインダンの商標名）、フェニルエチルベンゾエート、フェニルエチルフェニルアセテート、フェニルヘプタノール、フェニルヘキサノール、アルファ−サンタロール、チベトリド（thibetolide）（１５−ヒドロキシペンタデカン酸ラクトンの商標名）、デルタ−ウンデカラクトン、ガンマ−ウンデカラクトン、ベチベリル（vetiveryl）アセテート、ヤラ−ヤラ（yara−yara）、イランジン（ylangene）、並びにそれらの混合物。従って、約２５０℃以上のＢ．Ｐ．及び約３以上のＣｌｏｇＰを有する成分で主に構成される永続性香料組成物が、すすぎに添加される布帛柔軟組成物において使用される場合、該香料は、非常に効率よく布帛上に付着され、すすぎ工程及び乾燥工程（物干し綱による乾燥または機械乾燥）の後に、布帛上に永続的に残る審美的な効果をもたらし、洗濯過程に亘ってほぼ失われず無駄になることがなく、洗濯された衣類の効果を損なうことはない。それと共に、乾燥機の乾燥時間が更に短くなることによりエネルギーが節約され、布帛柔軟化活性物質は迅速に生分解可能であり、且つ香料のロスは最小限になり、環境に対する影響を��小にする洗濯過程を構築する。
【００５４】
乾燥機に添加する布帛柔軟組成物に関して、永続性の香料成分は、それらの沸点（Ｂ．Ｐ．）によって特徴付けられる。本発明の乾燥機に添加する組成物のための永続性香料成分は、約２４０℃以上、好ましくは約２５０℃以上のＢ．Ｐ．を有する。
【００５５】
本発明の乾燥機に添加する布帛柔軟組成物に使用するための好ましい永続性の香料成分の非限定的な例としては、以下が挙げられる：アリルシクロヘキサンプロピオネート、アンブレットリド、アミルベンゾエート、アミルシンナメート、アミルシンナミックアルデヒド、アミルシンナミックアルデヒドジメチルアセタール、イソ−アミルサリチラート、オーランチオール（aurantiol）（ヒドロキシシトロネラール−メチルアンスラニレートの商標）、ベンゾフェノン、ベンジルサリチラート、イソ−ブチルキノリン、ベータ−カリオフィレン、カジネン、セドロール、セドリルアセテート、セドリルホルメート、シンナミルシンナメート、シクロヘキシルサリチラート、シクラメンアルデヒド、ジヒドロイソジャスモネート、ジフェニルメタン、ジフェニルオキシド、ドデカラクトン、イソＥスーパー（iso E super）（１−（１，２，３，４，５，６，７，８−オクタヒドロ−２，３，８，８−テトラメチル−２−ナフタレニル）−エタノンの商標）、エチレンブラシレート、エチルメチルフェニルグリシデート、エチルウンデシレネート、イソ−オイゲノール、エギサルトリド（１５−ヒドロキシペンタデカン酸、ラクトンの商標）、ガラキソリド（galaxolide）（１，３，４，６，７，８−ヘキサヒドロ−４，６，６，７，８，８−ヘキサメチルシクロペンタ−ガンマ−２−ベンゾピランの商標）、ゲラニルアンスラニレート、ヘキサデカノリド、ヘキシニルサリチラート、ヘキシルシンナミックアルデヒド、ヘキシルサリチラート、リリアル（パラ−第三級−ブチル−アルファ−メチルヒドロシンナミックアルデヒドの商標）、リナリルベンゾエート、２−メトキシナフタレン、メチルシンナメート、メチルジヒドロジャスモネート、ベータ−メチルナフチルケトン、ムスクインダノン、ムスクケトン、ムスクチベチン、ミリスチシン、デルタ−ノナラクトン、オキサヘキサデカノリド−１０、オキサヘキサデカノリド−１１、パチョリアルコール、ファントリド（phantolide）（５−アセチル−１，１，２，３，３，６−ヘキサメチリンダンの商標）、フェニルエチルベンゾエート、フェニルエチルフェニルアセテート、フェニルヘプタノール、フェニルヘキサノール、アルファ−サンタロール、チベトリド（thibetolide）（１５−ヒドロキシペンタデカン酸、ラクトンの商標）、トナリド、デルタ−ウンデカラクトン、ガンマ−ウンデカラクトン、ベチベリルアセテート、ヤラ−ヤラ、アリルフェノキシアセテート、シンナミックアルコール、シンナミックアルデヒド、シンナミックホルメート、クマリン、ジメチルベンジルカルビニルアセテート、エチルシンナメート、エチルバニリン（３−メトキシ−４−エトキシベンズアルデヒド）、オイゲノール、オイゲニルアセテート、ヘリオトロピン、インドール、イソオイゲノール、コアボン（koavone）、メチル−ベータ−ナフチルケトン、メチルシンナメート、メチルジヒドロジャモナート、ベータメチルナフチルケトン、メチル−ｎ−メチルアンスラニレート、デルタ−ノナラクトン、ガンマ−ノナラクトン、パラメトキシアセトフェノン（アセトアニソール）、フェノキシエチルイソブチレート、フェノキシエチルプロピオネート、ピペロナール、トリエチルシトレート、バニリン��及びこれらの混合物。本発明において有用な他の耐久性香料成分には、メチル−Ｎ−メチルアンスラニレート、ベンジルブチレート、ベンジルイソバレレート、シトロネリルイソブチレート、シトロネリルプロピオネート、デルタ−ノナラクトン、ジメチルベンジルカルビニルアセテート、ドデカナール、ゲラニルアセテート、ゲラニルイソブチレート、ガンマ−イオノン、パラ−イソプロピルフェニルアセトアルデヒド、シス−ジャスモン、メチルオイゲノール、ヒドロキシシトロネラール、フェノキシエタノール、ベンジルイソバレレート、アニスアルデヒド、クミンアルコール、シス−ジャスモン、メチルオイゲノール、及びこれらの混合物が挙げられる。従って、永続性の香料組成物が約２５０℃以上のＢ．Ｐ．を有する永続性香料成分で主に構成される場合、乾燥工程の後に布帛上で永続性を保ち、且つ、洗濯過程に亘って香料の消失が最小になる。
【００５６】
本発明の布帛柔軟組成物において使用するための好ましい香料組成物は、少なくとも４つの異なる永続性香料成分、好ましくは少なくとも５つの永続性香料成分、より好ましくは少なくとも６つの異なる永続性香料成分、さらにより好ましくは少なくとも７つの異なる永続性香料成分を含有する。天然資源源から得られる最も一般的な香料成分は、多数の構成成分からなる。こうした各物質が本発明の好ましい香料組成物の配合に用いられる場合、本発明の定義では１つの単一成分として数えられる。
【００５７】
布帛を本発明の布帛ケア組成物により処理した後に、香料成分をゆっくりと放出できる物質を用いることも好ましい。この種類の物質の例は１９９６年７月２日にセバーンズ（Severns）らに発行された米国特許第５，５３１，９１０号に示されており、この特許は参考として本明細書に組み入れる。
【００５８】
本発明の組成物において有用な香料は、ハロゲン化材料及びニトロムスク類を実質的に含まないことが好ましい。
【００５９】
上述の香料成分のための好適な溶媒、希釈剤、またはキャリアは、例えば、エタノール、イソプロパノール、ジエチレングリコール、モノエチルエーテル、ジプロピレングリコール、フタル酸ジエチル、クエン酸トリエチル、ミリスチン酸イソプロピル、安息香酸ベンジルなどである。このような溶媒、希釈液またはキャリアが香料に組み込まれる量は、好ましくは均質な香料溶液を提供するために最少必要量に保持される。これらの物質は、本発明の永続性香料組成物の処方には計算されない。
【００６０】
前記の永続性香料組成物は、遊離香料として布帛柔化軟組成物に添加される。乾燥機に添加される組成物に関して、非永続性の香料成分は、香料キャリア中に成分を組み込むことによってか、または他の材料中にマイクロカプセル化することによって、多量に消失することなく布帛に運ばれ得る。好ましいキャリアは、例えば、１９９３年８月１０日にガードリック（Gardlik）らに発行された米国特許第５，２３４，６１０号において開示されているシクロデキストリンである。従って、任意であるが、好ましくは、前記の乾燥機に添加する布帛柔軟組成物は、更に香料／シクロデキストリン複合体を含有する。
【００６１】
本発明の布帛柔軟組成物は、好ましくは無臭であるかまたは香料を含まない。本文脈において「無臭の」とは、本発明の布帛柔軟組成物を調製するために使用されるが、検知可能な香料臭を提供するのには十分ではない成分に関連する、いずれかの悪臭をマスクするような少量の香料物質、及び／または少量構成成分、及び／またはそれらの汚染物、のみを含む組成物をいう。香料を含まない組成物は、香料成分を含有しない。無臭の組成物及び香料を含まない組成物は、最少量の揮発性有機化合物を含み、従って最も環境にやさしい。
【００６２】
（添加剤成分）
本発明の布帛柔軟組成物において使用するための好適な添加剤成分の非限定例を次に示す。
【００６３】
ａ）キャリア及び溶媒
本発明において有用な液体布帛柔軟組成物は、典型的には、水及び１つ以上の水溶性溶媒及び／または有機溶媒を含有する。低分子量の水溶性溶媒及び有機溶媒の例は、１９９９年１月１９日にトリン（Trinh）らに対して発行され、本明細書において参考として組み入れられている米国特許第５，８６１，２７０号に記載されている。より詳しくは、透明または半透明の液体布帛組成物を配合するために使用するモノオール及びジオールは、１９９８年５月５日にワール（Wahl）らに対して発行された米国特許第５，７４７，４４３号に詳細に記載されている。
【００６４】
ｂ）色ケア剤
本明細書において使用される時、「色ケア剤」は、キレート剤、染料固定剤及び染料移行防止剤をいう。本発明の布帛柔軟組成物において使用するための色ケア剤の記載は、２０００年８月２２日にスミス（Smith）らに対して発行された米国特許第６，１０７，２７０号に見い出され、この記載を本明細書において参考として組み入れる。
【００６５】
ｃ）濃縮助剤
本発明の濃縮された布帛柔軟組成物は、より高い濃度及び／または他の成分に依存してより高い安定性標準に到達するために、有機及び／または無機濃縮助剤を必要とすることも可能である。界面活性剤濃縮助剤は、典型的には、単一の長鎖アルキル陽イオン性界面活性剤；非イオン性界面活性剤；アミンオキシド；脂肪酸；またはそれらの混合物よりなる群から選択され、典型的には、組成物の０〜約１５％の濃度で使用される。非イオン性アルコキシル化界面活性剤は、１９９９年２月２５日にデマイアー（Demeyere）らに対して発行されたＰＣＴ国際公開特許ＷＯ９９／０９１２２にかなり詳細に記載され、本明細書において参考として組み入れる。
【００６６】
界面活性剤濃縮助剤のように作用するか、または界面活性剤濃縮助剤の効力を高めることができる無機粘度／分散性制御剤としては、水溶性のイオン化可能な塩が挙げられる。広範囲のイオン化可能な塩を使用することもできる。好適な塩の例は、元素周期律表ＩＡ族及びＩＩＡ族金属のハロゲン化物であり、例えば、塩化カルシウム、塩化マグネシウム、塩化ナトリウム、臭化カリウム、及び塩化リチウムである。これらのイオン化可能な塩は、本明細書中の組成物を製造するために前記成分を混合し、その後所望の粘度を得る過程に亘って、特に有用である。使用されるイオン化可能な塩の量は、前記組成物中で使用される活性物質成分の量に依存し、配合者の好みに応じて調整することができる。組成物粘度を制御するために使用される塩の一般的な濃度は、組成物の約２０ｐｐｍ〜約２０，０００ｐｐｍ、好ましくは約２０ｐｐｍ〜約１１，０００ｐｐｍである。
【００６７】
ｄ）汚れ放出剤
当業者に既知のいかなるポリマー汚れ放出剤も、本発明の組成物及び過程において任意に使用することができる。ポリマー汚れ放出剤は、ポリエステル及びナイロンのような疎水性の繊維の面を親水性にする親水性の部分と、及び疎水性の繊維上に付着し、洗浄並びに濯ぎサイクルの完了までそこに付着したままであり、従って親水性のセグメントにとってアンカーとして働く疎水性の部分との両方を有することを特徴とする。このため、汚れ放出剤による処置に続いて染みが自然に浮かび、その後の洗浄過程において、染みはより容易に洗浄され得る。本発明における使用に好適な汚れ放出ポリマーを記載している下記のすべてを参考として本明細書に包含する。１９７６年５月２５日にハイス（Hays）に対して発行された米国特許第３，９５９，２３０号；１９７５年７月８日にバサダー（Basadur）に対して発行された米国特許第３，８９３，９２９号；１９７６年１２月２８日にニコール（Nicol）らに対して発行された米国特許第４，０００，０９３号；１９８７年１０月２７日にゴッセリンク（Gosselink）に対して発行された米国特許第４，７０２，８５７号；１１月６日にシーベル（Scheibel）らに対して発行された米国特許第４，９６８，４５１号；１９８７年１０月２７日にゴッセリンク（Gosselink）に対して発行された米国特許第４，７０２，８５７号；１９８７年１２月８日にゴッセリンク（Gosselink）らに対して発行された米国特許第４，７１１，７３０号；１９８８年１月２６日にゴッセリンク（Gosselink）に対して発行された米国特許第４，７２１，５８０号；１９８９年１０月３１日にマルドナド（Maldonado）らに対して発行された米国特許第４，８７７，８９６号；１９９０年９月１１日にゴッセリンク（Gosselink）らに対して発行された米国特許第４，９５６，４４７号；１９９５年５月１６日にゴッセリンク（Gosselink）らに対して発行された米国特許第５，４１５，８０７号；１９８７年４月２２日にクッド（Kud）らに対して発行されたＥＰ−Ａ−０２１９０４８。更に好適な汚れ放出剤は、ボイランド（Violland）らへの米国特許第４，２０１，８２４号；ラガッセ（Lagasse）らの対する米国特許第４，２４０，９１８号；ツング（Tung）らに対する米国特許第４，５２５，５２４号；ラパート（Ruppert）らへの米国特許第４，５７９，６８１号；米国特許第４，２４０，９１８号；米国特許第４，７８７，９８９号；米国特許第４，５２５，５２４号；１９８８年のローヌプーラン・シェミー（Rhone-Poulenc Chemie）へのＥＰ２７９１３４Ａ；１９９１年のＢＡＳＦへのＥＰ４５７２０５Ａ；及び、１９７４年のユニレバー（Unilever N.V.）へのＤＥ２，３３５，０４４に記載されている。
【００６８】
ｅ）安定剤
本明細書で使用する「安定剤」には、酸化防止剤及び還元剤が包含される。これらは、融解形態で保存される組成物及び化合物に関して長期保存下で良好な臭気安定性を確保する。酸化防止剤及び還元剤安定剤の使用は、特に低臭気製品（低香料）には重要である。本発明の組成物に添加し得る酸化防止剤の例には、アスコルビン酸、アスコルビックパルミテート、没食子酸プロピルの混合物が挙げられ、イーストマン・ケミカル・プロダクツ社（Eastman Chemical Products、Inc.）より商品名テノックス（Tenox（登録商標））ＰＧ、及びテノックス（Tenox（登録商標）ＰＧ及びテノックス（Tenox）Ｓ−１として入手可能であり；ＢＨＴ（ブチル化ヒドロキシトルエン）、ＢＨＡ（ブチル化ヒドロキシアニソール）、没食子酸プロピル、及びクエン酸の混合物が挙げられ、イーストマン・ケミカル・プロダクツ社（Eastman Chemical Products、Inc.）より商品名テノックス（Tenox（登録商標））−６として入手可能であり；ブチル化ヒドロキシトルエンが挙げられ、ＵＯＰプロセス・ディヴィジョン（UOP Process Division）より商品名サスタン（Sustane（登録商標））ＢＨＴとして入手可能であり；ｔ−ブチルヒドロキノンが挙げられ、イーストマン・ケミカル・プロダクツ社（Eastman Chemical Products、Inc.）より商品名テノックス（Tenox（登録商標））ＴＢＨＱとして入手可能であり；天然のトコフェロールが挙げられ、イーストマン・ケミカル・プロダクツ社（Eastman Chemical Products,Inc.）より商品名テノックス（Tenox（登録商標））ＧＴ−１I／ＧＴ−２として入手可能であり；及びブチル化ヒドロキシアニソールが挙げられ、イーストマン・ケミカル・プロダクツ社（Eastman Chemical Products,Inc.）よりのＢＨＡであり；没食子酸の長鎖エステル（Ｃ８〜Ｃ２２）、例えば没食子酸ドデシルが挙げられ；イルガノックス（Irganox（登録商標））１０１０；イルガノックス（Irganox（登録商標））１０３５；イルガノックス（Irganox（登録商標））Ｂ１１７１；イルガノックス（Irganox（登録商標））１４２５；イルガノックス（Irganox（登録商標））３１１４；イルガノックス（Irganox（登録商標））３１２５；及びそれらの混合物が挙げられ；好ましくはイルガノックス（Irganox（登録商標））３１２５、イルガノックス（Irganox（登録商標））１４２５、イルガノックス（Irganox（登録商標））３１１４、及びそれらの混合物が挙げられ；より好ましくはイルガノックス（Irganox（登録商標））３１２５単独で、またはクエン酸及び／または他のキレート剤との混合によるものが挙げられ、クエン酸イソプロピルのような、モンサント（Monsanto）より化学名１−ヒドロキシエチリデン−１，１−ジホスホン酸（エチドロン酸）として入手可能なデクエスト（Dequest（登録商標））２０１０、及びコダック（Kodak）より化学名４，５−ジヒドロキシ−ｍ−ベンゼンスルホン酸／ナトリウム塩として入手可能なチロン（Tiron（登録商標）、ＥＤＤＳ、及びアルドリッチ（Aldrich）より化学名ジエチレントリアミン五酢酸として入手可能なＤＴＰＡ（登録商標）である。
【００６９】
ｆ）増粘剤成分
乾燥機に添加する布帛柔軟剤は、好ましくは増粘剤を含有する。このような薬剤は、２００１年１月２日のチャイルド（Childs）らへの米国特許第６，１６９，０６７Ｂ１号に十分に記載され、本明細書に参考として組み込む。
【００７０】
ｇ）他の添加成分
本発明は、布地処理組成物中で従来使用されている他の添加剤成分（少量成分）、例えば、着色剤、防腐剤、光沢剤、不透明化剤、分散助剤、しわ防止剤、しわ取り剤、布帛収縮剤、スポット剤、抗菌剤、殺菌剤、抗真菌剤、抗腐食剤、消泡剤などを包含することができる。
【００７１】
布帛柔軟剤を含有する組成物において有用な上記添加成分及び他の好適な成分は、１９９８年９月２５日にトリン（Trinh）らによって出願された同時係属中の米国特許出願番号０８／９８３，５４２号に示され、本明細書において参考として組み入れる。
【００７２】
Ｂ．（関連する指示）
１．（指示）
本発明の物品、キット、及び方法は、布帛柔軟組成物、乾燥機、または布帛物品に関連した一連の説明を更に含む。一連の説明は、消費者が本発明の効果に気づいていないため、その効果を得るために必須である。更に詳しく述べるならば、消費者は、布帛柔軟組成物の使用が、このような組成物で処理された布帛の乾燥時間を短縮することには気づいていない。消費者は、特定の柔軟化活性物質が他の柔軟化活性物質よりも更に迅速に生分解可能であり、特定の香料構成成分の使用により更なる永続性が生じ、その結果、このような活性物質及び香料構成成分を有する柔軟化組成物を選ぶことが、環境へ改善された影響をもたらすことに消費者は気づいていない。消費者は、不飽和布帛柔軟化活性物質が、乾燥時間の短縮をもたらすけれども、このような活性物質は、飽和布帛柔軟化活性物質よりも吸収性がよく、実際に飽和布帛柔軟化活性物質と比較して乾燥時間を非常に短縮できることにも気づいていない。消費者は、布帛柔軟組成物を繰り返し連続して適用することが、著しく乾燥時間を短縮することに気づかずにいる。消費者は、過剰量の布帛柔軟組成物を１回に適用することは、乾燥時間の有効性を実際に減らし、及び／または失うことに気づいていない。消費者は、本発明の全価値を享受するために、本発明の使用方法、且つそれに従う恩典を知る必要がある。このように、布帛柔軟組成物、回転式乾燥機または布帛物品に関連して提供される一連の説明は、消費者が本発明の効果を得るためには必須である。
【００７３】
一連の関連した説明は、有効量の布帛柔軟組成物を用いた布帛の処理が、処理された布帛必要乾燥時間を短縮することに効果があるという消費者への指示を含み得る。本明細書で言及される改良された乾燥時間は、濡れた布帛を乾燥させるために熱風を使用する回転式乾燥機における乾燥時間である。
【００７４】
本明細書で使用する時、「洗濯用過程サイクル」は、いずれかの洗浄及び／またはリフレッシュ過程若しくは手順を意味する。対象となる布帛は、液浸、浸漬、或いはスプレーによる適用のいずれかによって水性組成物で濡らされ、次いで乾燥される。典型的な洗濯用過程サイクルは、手によって、または手動若しくは自動機械のいずれかの内部で、前記布帛の洗浄、及びすすぎ、次いで乾燥する過程を含む。しかし、洗濯用過程サイクルは、布帛の洗浄及びすすぎを必要としない過程を排除すると解釈するべきではない。
【００７５】
有用な指示はまた、少なくとも２つの連続した洗濯用過程サイクルにおいて、好ましくは全ての洗濯用過程において、乾燥時間の短縮度を高めるために布帛を処理する指示を含み得る。特に、連続した洗濯用過程サイクルにおいて布帛柔軟組成物を繰り返し適用することにより、１回の適用で達成される乾燥時間よりも更に乾燥時間が短縮されることが観測された。一層の布帛柔軟組成物の適用は、乾燥時間において更なる改良につながるが、その改良程度は減ることが観測された。
【００７６】
１回の適用及び繰り返しの適用による布帛の処理効果にもかかわらず、過剰量の布帛柔軟組成物を１回で適用することは、乾燥時間を少ししか改良しないか、或いは全く改良しないことが観測されている。前記布帛柔軟組成物がすすぎに添加される組成物である場合、布帛に添加される布帛柔軟化活性物質の量は、布帛１キログラムあたり約５グラムを超えず、更に好ましくは約４グラムを超えず、さらにより好ましくは布帛１キログラムあたり約３グラムを超えないことである。乾燥機に添加する組成物に関しては、布帛柔軟化活性物質の量は、布帛１キログラムあたり約３グラム未満、好ましくは約２グラム未満、さらにより好ましくは約１．２グラム未満である。
【００７７】
同様に、組成物がすすぎに添加する布帛柔軟組成物である場合、布帛柔軟化活性物質の濃度が、布帛１キログラムあたり約０．５グラムを超え、好ましくは約１グラムを超え、さらにより好ましくは約１．５グラムを超えるという指示を、一連の説明にて含まれることが好ましい。乾燥機に添加する布帛柔軟組成物に関して、布帛柔軟化活性物質の濃度は、布帛１キログラムあたり、約０．１グラムを超え、好ましくは約０．２グラムを超え、更に好ましくは約０．３グラムを超える。
【００７８】
より迅速に生分解可能な柔軟剤を含む布帛柔軟組成物を使用するように消費者に指示することが、本発明の物品、キット及び方法の好ましい指示である。このような柔軟剤は、詳細に上述され、環境において更に迅速に分解する傾向があるために好ましい。
【００７９】
本発明の物品、キット、及び方法の好ましい指示は、少なくとも部分的に不飽和である布帛柔軟化活性物質を含む布帛柔軟組成物を使用するように消費者に指示することである。飽和布帛柔軟化活性物質は、生来、より疎水性であり、これらの活性物質で処理された布帛は、吸水性が低く、脂ぎった感触を生じる傾向がある。不飽和布帛柔軟剤は、飽和布帛柔軟剤よりも吸収性が高いことが示され、驚くべきことに、飽和柔軟剤活性物質よりも乾燥時間を大幅に短縮することが観測されている。
【００８０】
上述のような永続性香料を含む布帛柔軟組成物を使用するように、または無臭または香料を含まない布帛柔軟組成物を使用するように消費者に指示することが、本発明の物品、キット、及び方法の好ましい指示である。永続性香料は、揮発性有機化合物の使用を最小限にし、環境への影響を改良する。無臭及び香料を含まない組成物は、最少量の揮発性有機化合物を含み、最も環境にやさしい。
【００８１】
乾燥サイクルがプログラムされたタイマで制御する場合、乾燥サイクルの長さを手動で短縮するように消費者に指示することが、本発明の物品、キット、及び方法の好ましい指示である。このような指示は、布帛柔軟組成物で処理されていない濡れた布帛の乾燥必要時間の少なくとも約５％、好ましくは少なくとも約６％、より好ましくは少なくとも約７％、更により好ましくは少なくとも約８％、布帛の乾燥時間を短縮することを消費者に伝えるべきである。
【００８２】
「自動的に」またはエネルギー効率サイクルを有する乾燥機を使用するように消費者に指示することが、本発明の物品、キット、及び方法の好ましい説明である。典型的には、このような乾燥機は水分センサ及び関連する回路網を有し、布帛上または布帛内の水分濃度をモニターし、その情報を乾燥機の操作及び終了を制御するために使用する。このような自動化された設定が消費者によって選択される場合であっても、布帛柔軟組成物を用いた布帛の処理は、布帛中の水分濃度をより速い速度で減少させることにより、同じ自動化された設定を用いて未処理の布帛を乾燥する場合と比較して、乾燥時間がより短縮される。
【００８３】
前記一連の説明は、政府機関、非営利組織、ユーティリティサービス供給業者、電化製品製造業者などからの推薦及び／または承認を含むこともまた好ましい。例として、米国エネルギー学会（U.S.Department of Energy）は、種々の製品のエネルギー効率を評価し、エネルギースター（ENERGY STAR）マークを用いて特定のレベルのエネルギー節約を提供する製品にラベルを付している。前記一連の説明は、米国エネルギー学会（U.S.Department of Energy）からの承認を含むことが好ましい。同様に、ユーティリティサービス供給業者は、衣類及び他の布帛を洗濯する際に消費されるエネルギーを減らすための布帛柔軟組成物の使用を含めて、エネルギー消費を減少する種々の方法を消費者に保証し、推奨していることが想定される。このような承認及び／または推薦は、布帛柔軟組成物、布帛乾燥機及び／または布帛物品と関連する一連の説明を用いて提供することができるか、または消費者に対してユーティリティサービス供給業者のような団体が直接に配ることもできる。更に、ユーティリティサービス供給業者からの通知、例えば、消費者の月次請求書中に、こうした承認及び推薦を普及させるための協力的な取り決めが、製造業者とユーティリティサービス供給業者との間に確立されることも可能であると想定する。
【００８４】
２．（指示の形態）
本発明の布帛柔軟組成物、物品、キット、及び／または方法における使用及び／または効果に関連する一連の説明は、種々のメディアを用いて異なる手段を介して提供することができる。最も簡便且つ直接的な方法において、前記布帛柔軟組成物はパッケージに入れられて販売され、一連の説明はパッケージラベル、パッケージと共に提供される情報シート、または販売材料上に直接印刷され、パッケージに付随して提供される。同様に、前記一連の説明は、種々の電子的にまたはコンピュータで読み取り可能な形式で記録され、組成物パッケージと共に提供することができる。
【００８５】
印刷メディア及び／または電子メディアのようなマスメディアを介して、本発明の布帛柔軟組成物、物品、キット、及び／または方法における使用及び／または効果に関連する説明を提供することも好ましい。印刷メディアとしては、例えば、ハードコピー、または仮想形式、電子形式における、新聞、雑誌、定期刊行物、会報パンフレット、小冊子、掲示板での掲示、店のディスプレイなどが挙げられる。電子メディアとしては、電子的手段及び／または電磁気放射を介して通信する手段、例えば、テレビ、ラジオ、グローバルコンピュータネットワークなどが挙げられる。電気的にまたはコンピュータによって読み取り可能な形式が示され、消費者は、グローバルコンピュータネットワーク上に設置されるウェブサイトからダウンロードして入手することができる。
【００８６】
布帛柔軟組成物の使用に関する説明は、パッケージ上及び／または広告（例えば、リーフレット、クーポン、ディスプレイなど）において消費者フレンドリーな言語であることが好ましい。消費者にフレンドリーな言語とは、最良の結果を得るために製品をどのように使用したらよいかを消費者に指示することを意味する。説明は、可能な限り単純且つ明確であることが重要であり、説明をより消費者フレンドリーにするために文字を用いても或いは用いなくてもよく、図及び／またはアイコンを使用し得ることが想定される。一連の説明は、異なる言語を話す消費者がより容易に理解するために多言語にすることもできる。特定のパッケージデザインはまた、消費者にフレンドリーな形態で説明するよう効果的に使用することができる。
【００８７】
消費者に提供される測定単位が消費者理解をもたらす。例として、英語の計量単位では、米国及び英国などで好まれているように、メートル単位がほとんどのヨーロッパの国々において使用されている。本明細書で以下に記載される全ての組成物及び方法は、メートル単位で書かれているが、これらの単位は実際の製品パッケージ、広告などでは消費者にフレンドリーな言語での説明に変えられることを理解すべきである。
【００８８】
ＩＩ．本発明のキット
本発明のキットは、回転式乾燥機と、該乾燥機に関連する一連の説明とを含む。
【００８９】
Ａ．（布帛回転式乾燥機）
本発明の物品、本発明のキット及び方法において使用する回転式乾燥機は、布帛を乾燥するために、濡れた布帛を入れたドラムを回転させながら熱風を送る強制空気回転式乾燥機である。従来では、乾燥機製造業者は、布帛が加熱された強制空気にさらされる時間の長さを制御するためのタイマを提供していた。このようなタイマは、今日の技術的に進歩した乾燥機にも用意されており、消費者によって通常使用されている。このようなタイマの不効率な点は、布帛がまだ湿っているため更に乾燥時間が必要である可能性と直面するよりも、初期の時間設定の間に、布帛を「乾燥させすぎる」ことを消費者が概して好むことである。一般的には、必要な設定より高い温度設定にすること、或いは非常に長い時間にタイマを設定することに因る。その結果は、エネルギーの過剰な消費、時間の無駄遣い、及び不必要で長時間の加熱にさらされることに起因した消費者の布帛の損傷である。
【００９０】
乾燥機製造業者は、布帛の水分濃度をモニターし、それに従って乾燥サイクルを調整するために、種々のセンサ及び回路網を備え、よりエネルギー効率が高くなるように機械を企画してきた。本明細書に参考として組み入れている、２０００年４月１１日のレック（Reck）らへの米国特許第６，０４７，４８６号、「乾燥機の制御システム（Control System For A Dryer）」、及び２００１年３月１３日のヒーター（Heater）らへの米国特許第６，１９９，３００Ｂ１号、「衣類乾燥機のエネルギー効率制御のための方法（Method For Energy Efficient Control of a Dryer of Clothes）」を参照されたい。本発明の効果は、プログラムされたタイマのみを有する強制空気乾燥機によって得ることも可能であるが、本発明の物品、並びにキット及び方法は、布帛の乾燥を制御するための水分センサ及び回路網を使用する自動化された乾燥サイクル設定を使用することが好ましい。
【００９１】
（水分センサ）
乾燥機製造業者は、布帛が乾燥し始める時の熱の適用と乾燥サイクルの持続時間を制御する種々のセンサを機械内に組み込むことによって乾燥時間を短縮することを企画してきた。実際のところ、多くの新しい乾燥機は、回転式乾燥機内の布帛表面における水分濃度をモニターする水分センサを装備している。大概的には、これらのセンサは、回転式乾燥機内の布帛の伝導性または抵抗を決定するために使用される導電性センサの平行ストリップからなる。布帛の乾燥が始まる時、種々の回路網は、乾燥機の加熱要素の温度または動作を制御するために使用され得る。検出された水分濃度が所定の濃度に達する場合に起動するプログラムタイマを含むことが、非常に一般的である。水分センサと組み合わせた時間シーケンスの使用によって、自動化されたサイクルの終了時に布帛を手触りすれば乾燥していることが保証される。
【００９２】
このような水分センサは、強制空気回転式乾燥機の分野において周知であり、乾燥機内の布帛の伝導性または抵抗を測定するセンサからはじまり、乾燥機から排気される空気の水分を測定する湿度センサまでに亘るさまざまな範囲であることができる。いかなるこのようなセンサ及び関連する回路網も、本発明のキット及び方法において使用可能であることが想定される。以下の記載は、布帛内の水分濃度をモニターするために使用することも可能な、予め設定した水分濃度に到達すると水分の除去を制御することも可能な、センサ及び方法の非限定例である。以下の特許は参考として引用し、本明細書に組み入れる。
【００９３】
米国特許第３，２７１，８７８号は、ＤＣ電圧がセンサリングに適用される自動化された水分センシング回路を開示する。衣類が乾燥するにつれて、コンデンサＣ３は、荷電され、コンデンサ電圧が所定の電圧と等しくなると、コンデンサは第２のコンデンサＣ２を荷電するためにネオンランプを介して放出する。コンデンサＣ３を横切る電圧が、ランプの点火電位まで下がった場合、ランプは消える。ネオンランプは、第２のコンデンサが、ヒーター及びモータを切るための継電器を介して、回路を完成させるサイラトロンを誘発するように十分荷電されるまで、周期的に導電性になる。また、米国特許第３，２７１，８７６号も参照のこと。また、米国特許第４，３１２，１３８号；米国特許第３，７８２，００１号；米国特許第３，７１０，１３８号；米国特許第３，６５１，５７９号；米国特許第３，５９９，３４２号；及び米国特許第３，５２１，３７７号を参照のこと。
【００９４】
米国特許第４，２１５，４８６号は、プログラムタイマを制御するための回路を開示しており、ここでは、ＤＣ電源から荷電された記憶コンデンサは、２つの電極をつなぐ湿式洗浄から生じる洗濯抵抗と共に、発振器のためのデューティサイクルまたは周波数を決定する。発振器の出力は、フィルタに送られ、コンパレータに対して入力される。参照値の設定は、コンパレータの別の入力に使われ、コンパレータの出力はプログラムタイマに機能的に接続される。
【００９５】
米国特許第４，３２７，５０２号は、衣類を通る電圧を検知し、これは増幅されコンデンサを荷電するために使用される。コンデンサを介した電圧は、増幅器によって検知された電圧から分離され、参照電圧と比較される。コンデンサ電圧が特定のレベルまで落ちると、タイマが駆動する。衣類が乾燥するにつれて、タイマは、より頻繁に動き、タイムアウトまで長い時間動く。
【００９６】
米国特許第４，３８５，４５１号は、衣類を介して検知された電圧と参照電圧とを比較するセンサコントロールを開示する。衣類を介して検知された電圧が、一定時間に亘って参照電圧を超える場合、衣類が乾燥したと判断され、タイマに接続された出力スイッチが閉じられサイクルが終了する。米国特許第４，３８５，４５１号は、静電放電の影響を限定する回路網を含む。また、米国特許第４，４７０，２０４号を参照のこと。
【００９７】
米国特許第５，７３７，８５２号は、電力供給回路及び水分センシング回路を含む家庭用衣類乾燥機のための乾燥コントロール回路を教示する。電力供給回路は、水分センシング回路に対する低い電圧、ＤＣ電力を与える。水分センシング回路は、間隔があいた一対の電極、時間遅延回路、静電放電減衰回路及びモータ制御回路を含有する水分センサを含む。モータ制御回路は、コントロールヒステリシスまたはデッドバンドを含み、タイマモータの操作は影響を受けない。水分コントロール回路の時間遅延及びコントロールヒステリシスは、共にタイマモータの誤った作動または停止を防ぐ。
【００９８】
米国特許第６，０６７，８４５号は、電極で形成する傾向があり、且つ電極によって測定されている洗濯室の計量電気伝導度を乱す傾向がある、分極電圧を決定するための回路網品及び方法を教示する。
【００９９】
Ｂ．（一連の説明）
布帛乾燥機に関連する一連の説明は、本発明の物品に関連する使用説明として上述した指示のいずれかを含むことができる。また、前記説明の主な機能は、布帛の乾燥時間を短縮し、及び／または洗濯過程における環境への影響を改良するために、布帛柔軟組成物を用いて布帛を処理することも可能であることを消費者に知らせることである。
【０１００】
ＩＩＩ．本発明の方法
Ａ．（濡れた布帛の乾燥時間を短縮するための方法）
濡れた布帛の乾燥時間を短縮し、及び／または洗濯過程における環境への影響を改良するための方法は、布帛柔軟組成物を提供する工程と、該布帛柔軟組成物に関連する一連の指示を提供する工程とを包含し、該一連の説明は、有効量の布帛柔軟組成物を布帛に適用して、布帛乾燥機内の布帛の乾燥時間を短縮し、及び／または洗濯過程における環境への影響を改良するという指示を含む。本方法において有用な種々の布帛柔軟組成物の完全な記載は、上記に詳細に記載しており、ここでは繰り返さない。
【０１０１】
布帛柔軟組成物の使用または適用は、布帛の乾燥前または乾燥中のいつでも可能である。それ故に、洗浄またはすすぎサイクルにおける適用のために設計される柔軟化組成物、スプレーオン（spray-on）組成物及び乾燥機に添加する組成物は全て、本発明の方法において有利になるように使用することも可能である。前記組成物がすすぎに添加する布帛柔軟組成物である場合、使用される布帛柔軟化活性物質の濃度は、布帛１キログラムあたり、柔軟化活性物質約０．５〜約５グラム、好ましくは約１〜約４グラム、より好ましくは約１．５〜約３グラムであることが望ましい。同様に、乾燥機に添加する布帛柔軟組成物が好ましい場合、布帛柔軟化活性物質の濃度は、布帛１キログラムあたり、柔軟化活性物質約０．１〜約３グラム、好ましくは約０．２〜約２グラム、より好ましくは約０．３〜約１．２グラムであるべきである。
【０１０２】
上述のように、布帛柔軟組成物を繰り返し適用することは、１回の適用より乾燥時間を短縮することにおいて多くの効果を示すことが観測された。それ故に、布帛柔軟組成物は、乾燥時間を最大限短縮するために少なくとも２つの連続した洗濯過程サイクルにおいて、より好ましくは各洗濯過程サイクルに亘って使用することが好ましい。しかし、過剰の布帛柔軟組成物は、乾燥時間の短縮に悪影響を与えることが観測されたため、個々の適用または１回の適用において使用されるべきではない。
【０１０３】
Ｂ．（洗濯用過程に亘って消費されるエネルギーを減少するための方法）
布帛乾燥機内で濡れた布帛を乾燥することを含む洗濯用過程に亘って、消費されるエネルギーを減少するための方法であって、該方法は、該布帛に布帛柔軟組成物を適用することと、消費されるエネルギー量が、該布帛の乾燥必要時間を短縮し、及び／または乾燥温度を下げることによって減少されることとを含む。
【０１０４】
本方法において使用するための布帛柔軟組成物及び乾燥機は、上記で詳細に記載されている。前記布帛乾燥機は、１個のプログラムタイマで操作することも可能で、乾燥時間の持続時間は、サイクルの開始時にオペレータによって決定される。サイクルが短か過ぎて、サイクルの終了時に布帛がまだ濡れているかまたは湿っている場合、タイマをリセットし、乾燥機を再スタートさせる必要がある。通常、消費者が布帛の完全乾燥必要時間を多めに概算する結果、乾燥機は、布帛乾燥後も、ある程度の時間作動し続けることになる。この過剰な作動は、時間及びエネルギーの無駄になる。更に、全水分の除去に伴って、布帛が過剰な熱に最も多くさらされることになり、損傷を受ける。それ故に、本方法は、布帛の水分をモニターし、検出された水分濃度に基づいて乾燥操作を制御する、自動化またはエネルギー効率の設定を有する布帛乾燥機内で実行されることが好ましい。
【０１０５】
Ｃ．（布帛が熱にさらされることに起因する布帛損傷を減らすための方法）
洗濯用過程に亘って、布帛が熱にさらされることに起因する布帛損傷を減らすための方法。本方法は、布帛柔軟組成物を布帛に適用する工程と、布帛を布帛乾燥機内で乾燥させる工程とを含み、布帛損傷の量は、布帛の乾燥時間を短縮し、及び／または乾燥温度を下げることによって減少される。本方法において有用な前記布帛柔軟組成物及び乾燥機は、以上に記載されてきた。
【０１０６】
回転式乾燥機の使用に関連する布帛損傷は、布帛を熱にさらすこと、並びに回転の間に生じる機械的摩損の両方に由来する。布帛が熱にさらされることを減少する、及び乾燥サイクルを短くするか或いは減少することによって回転に伴う摩損を低減することで、布帛繊維への損傷が減り、布帛の有効寿命が延びる。
【０１０７】
布帛繊維の損傷は、本発明の物品、キット、及び方法を用いる場合、減少することが更に想定される。なぜならば、布帛柔軟組成物で処理された布帛は、布帛に関して推奨されている同じ時間間隔で、低い温度で乾燥することも可能であるからである。
【０１０８】
Ｄ．（消費者がエネルギー節約を教示する方法）
消費者にエネルギー節約、及び／または洗濯過程における環境への影響の改良を教示する方法。前記方法は、洗濯された布帛を布帛柔軟組成物を用いて処理することによって、強制空気回転式乾燥機内での布帛乾燥必要時間を短縮させ、消費者がエネルギーを節約できるということを消費者に知らせる工程を含む。消費者に、布帛柔軟組成物、布帛乾燥機、または布帛物品に関連する一連の説明を介して、布帛柔軟組成物の使用に伴う効果を知らせる。消費者情報として有用な前記一連の説明は、本発明の物品、キット、及び方法に関連して上述されている。
【０１０９】
Ｅ．（布帛柔軟組成物の使用を促進する方法）
洗濯過程における環境への影響を改良するための布帛柔軟組成物使用促進の方法であって、該方法は、布帛柔軟組成物を用いて洗濯された布帛を処理することで、強制空気回転式乾燥機内での布帛乾燥必要時間を短縮することを消費者に知らせる工程を含む。消費者は、布帛柔軟組成物、布帛乾燥機または布帛物品に関連する一連の説明を介して、布帛柔軟組成物の使用に伴う効果を知らされる。
【０１１０】
消費者への有用な一連の説明は、本発明の物品、キット、及び方法に関連して上述されている。加えて、一連の説明は、布帛柔軟組成物の使用によって、自動化された洗浄機内での布帛洗浄必要時間と等しい時間まで、布帛の乾燥時間を短縮することができるという指示を更に含むことが可能である。乾燥サイクルは、洗浄サイクルを超えることは周知であり、時間の制限がある工程である。このように乾燥工程を短くすることは、全家庭での洗濯操作の改善となる。
【国際公開パンフレット】
2005502402.tif 000004
2005502402.tif 000005
2005502402.tif 000006
2005502402.tif 000007
2005502402.tif 000008
2005502402.tif 000009
2005502402.tif 000010
2005502402.tif 000011
2005502402.tif 000012
2005502402.tif 000013
2005502402.tif 000014
2005502402.tif 000015
2005502402.tif 000016
2005502402.tif 000017
2005502402.tif 000018
2005502402.tif 000019
2005502402.tif 000020
2005502402.tif 000021
2005502402.tif 000022
2005502402.tif 000023
2005502402.tif 000024
2005502402.tif 000025
2005502402.tif 000026
2005502402.tif 000027
2005502402.tif 000028
2005502402.tif 000029
2005502402.tif 000030
2005502402.tif 000031
2005502402.tif 000032
2005502402.tif 000033
2005502402.tif 000034
2005502402.tif 000035
2005502402.tif 000036
【国際調査報告】
2005502402.tif 000037
2005502402.tif 000038
2005502402.tif 000039